(57)【要約】【課題】マラソン等のスポーツの競技者が胸や背中に付けるゼッケンを肩吊りの構成とし、着脱自在であって安全且つ容易に装着することができるようにした肩吊りゼッケンを提供する。【解決手段】ゼッケンの表示２がなされた２枚の本体３、３の夫々の上部両端を互いに２本の肩吊り紐４、４で結合すると共に、前記２枚の本体３、３の夫々の下部両端に結び紐５、５を結合した構成を有し、夫々の肩吊り紐４、４を着用者の両肩７、７に掛けた状態にして、着用者の胴部８の両側で前記結び紐５、５を互いに結び付けるようにした。【選択図】図１
0003119016.tif 000002
【実用新案登録請求の範囲】
【請求項１】
ゼッケンの表示がなされた２枚の本体の夫々の上部両端を互いに２本の肩吊り紐で結合すると共に、前記２枚の本体の夫々の下部両端に結び紐を結合した構成を有し、夫々の肩吊り紐を着用者の両肩に掛けた状態にして、着用者の胴部の両側で前記結び紐を互いに結び付けるようにしたことを特徴とする肩吊りゼッケン。
【請求項２】
前記本体は布地からなることを特徴とする請求項１記載の肩吊りゼッケン。
【考案の詳細な説明】
【技術分野】
【０００１】
本考案は、マラソン等のスポーツ競技者が装着するゼッケンに係り、着脱自在であって安全且つ容易に装着することができる肩吊りゼッケンに関するものである。
【背景技術】
【０００２】
従来から、マラソン等のスポーツ競技者が、番号やチーム名等を表示したゼッケンをシャツの胸や背中に付けることによって、個々の選手を識別することが行われている。
【０００３】
このゼッケンとしては、番号等の所定の表示を四角形の布片に施し、その布片の四隅を安全ピン等でシャツに取付けることによって固定するようにしたものがある。
【０００４】
また、このようなゼッケンを他の手段によってシャツ等に取り付ける方法としては、特許文献１に示すように、プラグ片とソケット片とを備える止具によって取り付けるようにしたものがある。
【０００５】
この特許文献１で使用している止具は、図３(ａ)及び(ｂ)に示すように、ゼッケン３０の表示がなされた表示シート３１の四隅にソケット片３２、３２…が固定され、夫々のソケット片３２に対応してシャツ３３の四方にプラグ片３４、３４…を固定したもので、各プラグ片３４に設けられた挿入突起３４ａを各ソケット片３２に設けられた挿入孔３２ａに挿入することによって固定する構成とされている。
【０００６】
このゼッケン３０を取り付けるには、シャツ３３側の夫々のプラグ片３４の挿入突起３４ａを表示シート３１側のソケット片３２の挿入孔３２ａに差し込んで固定する。
【特許文献１】特開平５−２４９８９９（図１、図２）
【考案の開示】
【考案が解決しようとする課題】
【０００７】
ところで、上記のように従来のゼッケンとして使用されている四角形の布片を安全ピンで取付ける方法は、夫々の安全ピンを取付ける際に、指先の細かい作業が要求され、また安全ピンが外れると、ピン先が肌を刺す等の危険があった。
【０００８】
また、上記の特許文献１の構成においては、予め、止具のプラグ片３４をシャツ３３に取り付けておく必要があるため、プラグ片３４を取り付けていないシャツにはゼッケン３０を取り付けることができないという欠点があった。
【０００９】
本考案は、上記の事情に鑑みてなされたもので、マラソン等のスポーツの競技者が胸や背中に付けるゼッケンを肩吊りの構成とし、着脱自在であって安全且つ容易に装着することができるようにした肩吊りゼッケンを提供することを目的とする。
【課題を解決するための手段】
【００１０】
上記の目的を達成するために、本考案の請求項１の肩吊りゼッケンは、ゼッケンの表示がなされた２枚の本体の夫々の上部両端を互いに２本の肩吊り紐で結合すると共に、前記２枚の本体の夫々の下部両端に結び紐を結合した構成を有し、夫々の肩吊り紐を着用者の両肩に掛けた状態にして、着用者の胴部の両側で前記結び紐を互いに結び付けるようにしたことを特徴とする。
【００１１】
また、本考案の請求項２の肩吊りゼッケンは、請求項１において、前記本体は布地からなることを特徴とする。
【考案の効果】
【００１２】
本考案による肩吊りゼッケンは、ゼッケンの表示がなされた２枚の本体の夫々の上部両端を互いに２本の肩吊り紐で結合すると共に、２枚の本体の夫々の下部両端に結び紐を結合した構成を有するため、簡単且つ安全な構成であって、安価に作成することができる。また、本体を布地によって構成すると、汚れても洗濯することによって再使用が可能となる。
【００１３】
また、本考案の肩吊りゼッケンは、夫々の肩吊り紐を着用者の両肩に掛けた状態にして、着用者の胴部の両側で結び紐を互いに結び付けることによって装着できるため、着脱自在であって、競技者の身体に安全且つ容易に装着することができ、競技中に汗をかいても影響がない肩吊りゼッケンとして使用可能である。
【考案を実施するための最良の形態】
【００１４】
以下、本考案の実施例について図面を参照しながら説明する。
【実施例１】
【００１５】
本考案の肩吊りゼッケン１は、図１又は図２に示すように、ゼッケンの表示２がなされた２枚の本体３、３の夫々の上部両端を互いに２本の肩吊り紐４、４で結合すると共に、２枚の本体３、３の夫々の下部両端に結び紐５、５…を結合した構成を有するものである。
【００１６】
このような構成についてより詳細に述べる。図１又は図２において、本体３は四角形をなす布地によって構成され、汚れた場合等に、洗濯によって再使用することが可能とされている。ただし、この本体３は防水性を考慮して、ビニール製シート等によって構成することも可能である。
【００１７】
また、夫々の本体３には、例えば、本体３の上部に「○○マラソン」（仮称）と記された競技名２ａが表示され、本体３の下部に「ＡＢＣＤ」（仮称）と記されたスポンサー名２ｂが表示され、さらに本体３の中央に例えば「７１」と記されたゼッケン番号２ｃ等が表示されている。なお、これらの表示内容は本考案の内容を特定するものではなく、競技内容やスポンサーの有無等によって様々に変化するものである。
【００１８】
このようにゼッケンの表示２がなされた２枚の本体３、３を用意し、図２に示すように、各本体３、３が互いに上部を向き合った状態に配置して、夫々の上部両端を互いに２本の肩吊り紐４、４で結合する。なお、これらの肩吊り紐４、４の離間幅は、競技者の両肩に掛かる程度とする。また、肩吊り紐４、４は布地を紐状に構成したものを使用し、この肩吊り紐４、４を本体３の端部に糸６で縫い付ける方法によって結合する。
【００１９】
さらに、本実施例においては、図２に示すように、上記のように２本の肩吊り紐４、４で結合した２枚の本体３、３の夫々の下部両端に結び紐５、５を結合した構成とする。従って、結び紐５は夫々の本体３、３に２本ずつ、全部で４本使用することとなる。また、夫々の結び紐５は、上記の肩吊り紐４と同様に、布地を紐状に構成したものを使用し、この結び紐５を本体３の端部に糸６で縫いつける方法によって結合する。
【００２０】
上記のように構成された肩吊りゼッケン１を使用するには、図１に示すように、夫々の肩吊り紐４、４を着用者の両肩７、７に掛けた状態にし、さらに着用者の胴部８の両側で結び紐５、５を互いに結び付けることによって、両側の肩７、７に吊り下げるようにし、これによって夫々の本体３、３に記されたゼッケンの表示２を着用者の胸と背中に表示することが可能となる。
【産業上の利用可能性】
【００２１】
本考案の肩吊りゼッケンは、マラソン等のスポーツの競技者が胸や背中に取り付けるゼッケンを肩吊り紐で着用者の両肩に掛けた状態にして、着用者の胴部の両側で結び紐を互いに結び付けることができる構成としたことにより、着脱自在であって安全且つ容易に装着することができる肩吊りゼッケンとして利用することが可能である。
【図面の簡単な説明】
【００２２】
【図１】本考案による肩吊りゼッケンを着用した状況を示す透視的斜視図である。
【図２】本考案による肩吊りゼッケンの展開図である。
【図３】(ａ)は特許文献１に係るゼッケンの全体図であり、(ｂ)は要部断面図である。
【符号の説明】
【００２３】
１  肩吊りゼッケン
２  ゼッケンの表示
２ａ  競技名
２ｂ  スポンサー名
２ｃ  ゼッケン番号
３  本体
４  肩吊り紐
５  結び紐
６  糸
７  着用者の両肩
８  着用者の胴部
【図１】
0003119016.tif 000003
【図２】
0003119016.tif 000004
【図３】
0003119016.tif 000005